(57)【要約】【課題】予期せぬ外力を受けても外れる虞のないコネクタを得ること。【解決手段】接続口の側部に、撓み部１４を介して鉤部１２及び解除レバー１３を有するロックアーム１１が設けられた第１のコネクタ１０と、接続口の側部に、前記鉤部１２に係合する凸部２１が設けられた第２のコネクタ２０と、前記解除レバー１３と前記第１のコネクタ１０の側部との間の間隙を埋めるように、前記第１のコネクタ１０の胴部１６又は前記解除レバー１３に装着されたバンド３０と、を備える。【選択図】        図２
2009266657.tif 000002
【特許請求の範囲】
【請求項１】
接続口の側部に、撓み部を介して鉤部及び解除レバーを有するロックアームが設けられた第１のコネクタと、
接続口の側部に、前記鉤部に係合する凸部が設けられた第２のコネクタと、
前記解除レバーと前記第１のコネクタの側部との間の間隙を埋めるように、前記第１のコネクタの胴部又は前記解除レバーに装着されたバンドと、
を備えることを特徴とするコネクタ。
【請求項２】
前記凸部と前記鉤部の係合高さをＺとし、前記解除レバーと前記第１のコネクタの側部との間の間隙の高さをＨとし、前記バンドの厚さをＴとするとき、Ｔ＞Ｈ−Ｚとなるように、Ｚ、Ｈ及びＴの寸法を設定したことを特徴とする請求項１に記載のコネクタ。
【請求項３】
前記バンドが、ゴム製であることを特徴とする請求項１又は２に記載のコネクタ。
【請求項４】
前記第１のコネクタの後端側部又は前記解除レバーの後端部に前記バンドの抜け止めとなる突起を設けたことを特徴とする請求項１〜３のいずれか一つに記載のコネクタ。
【発明の詳細な説明】
【技術分野】
【０００１】
本発明は、外れ止め機構を備えるコネクタに関するものである。
【背景技術】
【０００２】
従来、図１に示すように、一対のコネクタを嵌合したときの外れ止めをロックアームと呼ばれる弾性アームによって行うものがある。第１のコネクタ１０には、弾性変位可能なロックアーム１１が設けられ、第２のコネクタ２０には、凸部２１が設けられている。
【０００３】
第１、第２のコネクタ１０、２０を嵌合（接続）する過程で、ロックアーム１１の前端に設けられた鉤部１２の傾斜面が、凸部２１の傾斜面に当接してロックアーム１１が弾性変位し、鉤部１２が凸部２１に乗り上げ、第１、第２のコネクタ１０、２０が正規嵌合状態になると、鉤部１２が凸部２１を乗り越えて、凸部２１に係合、ロックするようになっている。
【０００４】
第１、第２のコネクタ１０、２０の接続を外すときは、ロックアーム１１の後方部分である解除レバー１３を押し、ロックアーム１１をロック解除方向へ回動変位させ、鉤部１２と凸部２１の係合を外す。
【発明の開示】
【発明が解決しようとする課題】
【０００５】
しかしながら、上記従来の技術によれば、予期せぬ外力により、解除レバー１３が押されると、ロックアーム１１のロックが解除されてしまう。そのため、第１、第２のコネクタ１０、２０の接続が外れる虞がある、という問題があった。例えば、接続された第１、第２のコネクタ１０、２０が、機械部品や配線が入り組んだ空間に配置されている場合、他部品との接触により外力を受けることがある。
【０００６】
本発明は、上記に鑑みてなされたものであって、予期せぬ外力を受けても外れる虞のないコネクタを得ることを目的とする。
【課題を解決するための手段】
【０００７】
上述した課題を解決し、目的を達成するために、本発明は、接続口の側部に、撓み部を介して鉤部及び解除レバーを有するロックアームが設けられた第１のコネクタと、接続口の側部に、前記鉤部に係合する凸部が設けられた第２のコネクタと、前記解除レバーと前記第１のコネクタの側部との間の間隙を埋めるように、前記第１のコネクタの胴部又は前記解除レバーに装着されたバンドと、を備えることを特徴とする。
【発明の効果】
【０００８】
この発明によれば、予期せぬ外力を受けても外れる虞のないコネクタが得られる、という効果を奏する。
【発明を実施するための最良の形態】
【０００９】
以下に、本発明にかかるコネクタの実施の形態を図面に基づいて詳細に説明する。なお、この実施の形態によりこの発明が限定されるものではない。
【００１０】
実施の形態１．
図１は、本発明が適用される従来のコネクタを示す斜視図であり、図２は、本発明にかかるコネクタの実施の形態１を示す斜視図であり、図３は、本発明にかかるコネクタの実施の形態１を示す側面図である。
【００１１】
図１〜図３に示すように、第１のコネクタ１０は、直方体状に形成され、内部に接続端子を保持している。第１のコネクタ１０の接続口１５の側部には、該側部から突出する撓み部１４と、撓み部１４に中央部が接続するロックアーム１１が設けられている。ロックアーム１１の前端には鉤部１２が形成され、ロックアーム１１の後方は、解除レバー１３となっている。鉤部１２の先端部には、傾斜面が形成されている。
【００１２】
第２のコネクタ２０は、直方体状に形成され、内部に接続端子を保持している。第２のコネクタ２０の接続口２２の側部には、ロックアーム１１の鉤部１２と係合しロックされる凸部２１が設けられている。凸部２１の先端部には、傾斜面が形成されている。
【００１３】
図２及び図３に示すように、第１のコネクタ１０の胴部１６には、四角環状のバンド３０が装着されている。バンド３０は、解除レバー１３とコネクタ１０の側部との間の間隙を埋めるように挿入される。
【００１４】
図３に示すように、凸部２１と鉤部１２の係合高さをＺ、解除レバー１３と胴部との間の間隙の高さをＨ、バンド３０の厚さをＴとするとき、Ｔ＞Ｈ−Ｚとなるように、Ｚ、Ｈ及びＴの寸法を設定する。
【００１５】
このように、Ｚ、Ｈ及びＴの寸法を設定することにより、解除レバー１３が予期せぬ外力により押されても、ロックアーム１１のロックが解除されないので、第１、第２のコネクタ１０、２０及びバンド３０を含んで成る実施の形態１のコネクタ５０の外れを防ぐことができる。
【００１６】
実施の形態１のコネクタ５０を外すときは、まず、バンド３０を解除レバー１３の後方まで引き抜き、解除レバー１３とコネクタ１０の側部との間の間隙を空ける。次に、解除レバー１３を押し、ロックアーム１１をロック解除方向へ回動変位させ、鉤部１２と凸部２１の係合を解き、第１のコネクタ１０から第２のコネクタ２０を引き抜く。
【００１７】
実施の形態２．
図４は、本発明にかかるコネクタの実施の形態２を示す斜視図である。実施の形態２のコネクタ５２が、実施の形態１のコネクタ５０と異なるところは、バンド３２の形態のみであるので、バンド３２について説明し、他の部分についての説明は省略する。
【００１８】
図４に示すように、第１のコネクタ１０の胴部１６には、ゴム製のバンド３２が装着されている。バンド３２は、解除レバー１３とコネクタ１０の側部との間の間隙を埋めるように装着される。
【００１９】
図３を参照して、凸部２１と鉤部１２の係合高さをＺとし、解除レバー１３とコネクタ１０の側部との間の間隙の高さをＨとし、バンド３２の厚さをＴとするとき、Ｔ≫Ｈ−Ｚとなるように、Ｚ、Ｈ及びＴの寸法を設定する。
【００２０】
上記のように、実施の形態１のバンド３０よりも厚さを厚くするのは、解除レバー１３が押され、解除レバー１３がゴム製のバンド３２を押圧したときのバンド３２の圧縮変形を考慮したものである。また、バンド３２の内周長は、第１のコネクタ１０の胴部１６の外周長よりも短くする。バンド３２を少し伸ばした状態で胴部１６に装着し、胴部１６から外れないようにする。
【００２１】
このように、Ｚ、Ｈ、Ｔ及びバンド３２の内周長の寸法を設定することにより、解除レバー１３が予期せぬ外力により押されても、ロックアーム１１のロックが解除されないので、第１、第２のコネクタ１０、２０及びバンド３２を含んで成る実施の形態２のコネクタ５２の外れを防ぐことができる。
【００２２】
実施の形態２のコネクタ５２を外すときは、まず、バンド３２を解除レバー１３の後方まで引き抜き、解除レバー１３とコネクタ１０の側部との間の間隙を空ける。次に、解除レバー１３を押し、ロックアーム１１をロック解除方向へ回動変位させ、鉤部１２と凸部２１の係合を解き、第１のコネクタ１０から第２のコネクタ２０を引き抜く。なお、ゴム製のバンド３２を胴部１６から引き抜くときは、人の力で引き抜くことができ、特別な工具等を必要としない。
【００２３】
ゴム製のバンド３２を用いれば、その弾性変形能力により、バンド３２を胴部１６に装着したままでも、第１、第２のコネクタ１０、２０を嵌合可能であるが、バンド３２を胴部から引き抜かないかぎり、第１のコネクタ１０から第２のコネクタ２０を引き抜くことはできない。
【００２４】
実施の形態３．
図５は、本発明にかかるコネクタの実施の形態３を示す斜視図である。実施の形態３のコネクタ５３が、実施の形態１のコネクタ５０と異なるところは、第１のコネクタ１０の形状のみであるので、第１のコネクタ１０について説明し、他の部分についての説明は省略する。
【００２５】
図５に示すように、第１のコネクタ１０の後端側部には、突起１７が設けられている。突起１７により、バンド３０が胴部１６から不用意に抜けてしまうのを防止している。なお、突起１７を、実施の形態２のコネクタ５２の第１のコネクタ１０に設けてもよい。
【００２６】
以上説明した実施の形態１〜３のコネクタ５０、５２、５３では、バンド３０又はゴム製のバンド３２を、第１のコネクタ１０の胴部１６に装着するようにしたが、ゴムその他の材料製の小径のバンドを、解除レバー１３に装着する（図示せず）ようにしてもよい。そのとき、凸部２１と鉤部１２の係合高さをＺ、解除レバー１３と胴部との間の間隙の高さをＨ、バンドの厚さをＴとするとき、Ｔ＞Ｈ−Ｚとなるように、Ｚ、Ｈ及びＴの寸法を設定するとよい。
【００２７】
このように、Ｚ、Ｈ及びＴの寸法を設定することにより、解除レバー１３が予期せぬ外力により押されても、ロックアーム１１のロックが解除されないので、第１、第２のコネクタ１０、２０及び小径のバンドを含んで成るコネクタの外れを防ぐことができる。
【産業上の利用可能性】
【００２８】
以上のように、本発明にかかるコネクタは、機械部品や配線が入り組んだ空間に配置されるコネクタとして有用である。
【図面の簡単な説明】
【００２９】
【図１】本発明が適用される従来のコネクタを示す斜視図である。
【図２】本発明にかかるコネクタの実施の形態１を示す斜視図である。
【図３】本発明にかかるコネクタの実施の形態１を示す側面図である。
【図４】本発明にかかるコネクタの実施の形態２を示す斜視図である。
【図５】本発明にかかるコネクタの実施の形態３を示す斜視図である。
【符号の説明】
【００３０】
１０  第１のコネクタ
１１  ロックアーム
１２  鉤部
１３  解除レバー
１４  撓み部
１５  接続口
１６  胴部
１７  突起
２０  第２のコネクタ
２１  凸部
２２  接続口
３０  バンド
３２  ゴム製のバンド
５０，５２，５３  コネクタ
【図１】
2009266657.tif 000003
【図２】
2009266657.tif 000004
【図３】
2009266657.tif 000005
【図４】
2009266657.tif 000006
【図５】
2009266657.tif 000007